(57)【要約】      （修正有）【課題】見た感じも清潔で、美しく、行為が簡単で、使用、保管が簡単で衛生的な歯ブラシ立てを提供する。【解決手段】歯ブラシの持ち手１０を縦にしブラシ面を横向きにして逆Ｇ型の天面を覆っている蓋６に付いている突起部分を歯ブラシの先端で、押し上げて開き両側の間かんの通路に沿って奥の中心の空洞まで持って行き、ブラシが前面に突き当たる直前でブラシを日常使用している姿勢の形に戻してから、歯ブラシを握り手から離すとそれ自身が本体の底の構造の形状に沿って下落し、歯ブラシは適当な位置で止まり固定され、自然に蓋を閉じる事が出来る。本体の背裏から一体となっている支持棒７の背裏の任意の位置に吸盤８と突起状の空洞があり、それに必要な、物を差し込んで固定する事が出来る様になっている。これを使用する事により、見た感じも清潔で、美しく、行為がとっても簡単で歯ブラシを使用、保管が簡単に出来大変便利である。【選択図】  図１
2007014709.tif 000002
【特許請求の範囲】
【請求項１】
歯ブラシ立ては、逆Ｇ型をしており、左右両側の縦の淵側と淵側の間に歯ブラシの持ち手を縦向きにして、奥の方向へ出入れが自由にできる、幅のある通路を作りそこを通って、中心の空洞部分で持ち手を横向きに自由に変える事が出来る広さのスペースを作る。本体の大きさは、ブラシの大きさ、長さ、太さ、ブラシと持ち手の深さに対応出来る様に出来ており、底はＣ型が寝た形状をし、ブラシが落下しない幅の広さの底を持ち、又、ある程度の厚さ、大きさの持ち手が自由に落下出来る幅の空洞を造っている。逆Ｇ型の背裏の上部の辺の任意の位置から或程度の幅、長さ、厚さの支持棒を下向きに造られ、本体と一体となし手いる。支持棒の必要な位置には吸盤、磁石、を取り付けるのに必要な二本の支持棒が横向きに、ある程度の長さを持ってそれと結び付いている。又、同じくある位置に厚さ、長さ大きさの突起物を表面にある、そこに必要な物の支持棒が横向きに差込が可能で、固定が出来る空洞を設けている・逆Ｇ型本体の天面には天面を覆う蓋を持ち、その蓋の前面の一部分に或程度の長さ、大きさの突起物を付けている。蓋の背中の一部分の位置に帯びたいを持ち、その位置からそれが本体の背裏の必要な処と結びつき一体をなし自由に蓋が開閉が出来る。蓋の大きさ、長さ、広さは本体の形状と合致し、又、ある程度の深さの面を持ち、本体の外側の輪郭を一定の深さまで、覆う事ができる深さの物である。
【発明の詳細な説明】
【技術分野】
【０００１】  歯ブラシの持ち手を縦にしブラシ面を横向きにして逆Ｇ型の天面を覆っている蓋に付いている突起部分を歯ブラシの先端で、押し上げて開き両側の間かんの通路に沿って奥の中心の空洞まで持って行き、ブラシが前面に突き当たる直前でブラシを日常使用している姿勢の形に戻してから、歯ブラシを握り手から離すとそれ自身が本体の底の構造の形状に沿って下落し、歯ブラシは適当な位置で止まり、固定される、蓋もその行為により自然に蓋を閉じる事が出来る。本体の背裏から一体となっている、下へ向いてある程度の厚さ、大きさ、長さ、を持っている支持棒があり、その背裏の任意の位置には吸盤と一体となっている。本体と一体をなしている支持棒のある位置に必要な大きさ、長さ、厚さ、の突起状の空洞があり、それに必要な、物を差し込んでその物を固定する事が出来る様になっている。
［肯景技術］【０００２】現在多く使用されている歯ブラシは使用後の裸のまま使用した所に付いているプラスチック製の歯ブラシ掛けに直接掛けたり，又、小さな箱型の器に入れたりしているこれは小さいので開閉が非常にし難く、ブラシのみ包む型になっているのでその行為に手間が掛りいやな感じもする、又、他の物はやはり裸でブラシを掛けられる形状をした物でただ掛けるだけの物であるので非常に不衛生で見た感じも余り良くない、その様な欠点を治すのになにか良い方策が無いかと、思考工夫した物が、本発明である。これを使用する事により欠点を気持ち良く除き、見た感じも清潔で、美しく、行為がとっても簡単で歯ブラシを使用、保管が簡単に出来大変便利である。
［発明の開示］
［発明が解決しようとする課題］【０００３】歯ブラシの持ち手を縦にしブラシ面を横向きにして逆Ｇ型の天面を覆っている蓋に付いている突起部分を歯ブラシの先端で、押し上げて開き両側の間かんの通路に沿って奥の中心の空洞まで持って行き、ブラシが前面に突き当たる直前でブラシを日常使用している姿勢の形に戻してから、歯ブラシを握り手から離すとそれ自身が本体の底の構造の形状に沿って下落し、歯ブラシは適当な位置で止まり、固定される、蓋もその行為により自然に蓋を閉じる事が出来る。本体の背裏から一体となっている、下へ向いてある程度の厚さ、大きさ、長さ、を持っている支持棒があり、その背裏の任意の位置には吸盤と一体となっている。本体と一体をなしている支持棒のある位置に必要な大きさ、長さ、厚さ、の突起状の空洞があり、それに必要な、物を差し込んでその物を固定する事が出来る様になっている。
現在多く使用されている歯ブラシは使用後の裸のまま使用した所に付いているプラスチック製の歯ブラシ掛けに直接掛けたり，又、小さな箱型の器に入れたりしているこれは小さいので開閉が非常にし難く、ブラシのみ包む型になっているのでその行為に手間が掛りいやな感じもする、又、他の物はやはり裸でブラシを掛けられる形状をした物でただ掛けるだけの物であるので非常に不衛生で見た感じも余り良くない、その様な欠点を治すのになにか良い方策が無いかと、思考工夫した物が、本発明である。これを使用する事により欠点を気持ち良く除き、見た感じも清潔で、美しく、行為がとっても簡単で歯ブラシを使用、保管が簡単に出来大変便利である。
［課題を解決するための手段］【０００４】  歯ブラシの持ち手を縦にしブラシ面を横向きにして逆Ｇ型の天面を覆っている蓋に付いている突起部分を歯ブラシの先端で、押し上げて開き両側の間かんの通路に沿って奥の中心の空洞まで持って行き、ブラシが前面に突き当たる直前でブラシを日常使用している姿勢の形に戻してから、歯ブラシを握り手から離すとそれ自身が本体の底の構造の形状に沿って下落し、歯ブラシは適当な位置で止まり、固定される、蓋もその行為により自然に蓋を閉じる事が出来る。本体の背裏から一体となっている、下へ向いてある程度の厚さ、大きさ、長さ、を持っている支持棒があり、その背裏の任意の位置には吸盤と一体となっている。本体と一体をなしている支持棒のある位置に必要な大きさ、長さ、厚さ、の突起状の空洞があり、それに必要な、物を差し込んでその物を固定する事が出来る様になっている。現在多く使用されている歯ブラシは使用後の裸のまま使用した所に付いているプラスチック製の歯ブラシ掛けに直接掛けたり，又、小さな箱型の器に入れたりしているこれは小さいので開閉が非常にし難く、ブラシのみ包む型になっているのでその行為に手間が掛りいやな感じもする、又、他の物はやはり裸でブラシを掛けられる形状をした物でただ掛けるだけの物であるので非常に不衛生で見た感じも余り良くない、その様な欠点を治すのになにか良い方策が無いかと、思考工夫した物が、本発明である。これを使用する事により欠点を気持ち良く除き、見た感じも清潔で、美しく、行為がとっても簡単で歯ブラシを使用、保管が簡単に出来大変便利である。
［発明の効果］【０００５】  歯ブラシの持ち手を縦にしブラシ面を横向きにして逆Ｇ型の天面を覆っている蓋に付いている突起部分を歯ブラシの先端で、押し上げて開き両側の間かんの通路に沿って奥の中心の空洞まで持って行き、ブラシが前面に突き当たる直前でブラシを日常使用している姿勢の形に戻してから、歯ブラシを握り手から離すとそれ自身が本体の底の構造の形状に沿って下落し、歯ブラシは適当な位置で止まり、固定される、蓋もその行為により自然に蓋を閉じる事が出来る。本体の背裏から一体となっている、下へ向いてある程度の厚さ、大きさ、長さ、を持っている支持棒があり、その背裏の任意の位置には吸盤と一体となっている。本体と一体をなしている支持棒のある位置に必要な大きさ、長さ、厚さ、の突起状の空洞があり、それに必要な、物を差し込んでその物を固定する事が出来る様になっている。現在多く使用されている歯ブラシは使用後の裸のまま使用した所に付いているプラスチック製の歯ブラシ掛けに直接掛けたり，又、小さな箱型の器に入れたりしているこれは小さいので開閉が非常にし難く、ブラシのみ包む型になっているのでその行為に手間が掛りいやな感じもする、又、他の物はやはり裸でブラシを掛けられる形状をした物でただ掛けるだけの物であるので非常に不衛生で見た感じも余り良くない、その様な欠点を治すのになにか良い方策が無いかと、思考工夫した物が、本発明である。これを使用する事により欠点を気持ち良く除き、見た感じも清潔で、美しく、行為がとっても簡単で歯ブラシを使用、保管が簡単に出来大変便利である。
［発明を実施するための最良の形態］【０００６】  歯ブラシの持ち手を縦にしブラシ面を横向きにして逆Ｇ型の天面を覆っている蓋に付いている突起部分を歯ブラシの先端で、押し上げて開き両側の間かんの通路に沿って奥の中心の空洞まで持って行き、ブラシが前面に突き当たる直前でブラシを日常使用している姿勢の形に戻してから、歯ブラシを握り手から離すとそれ自身が本体の底の構造の形状に沿って下落し、歯ブラシは適当な位置で止まり、固定される、蓋もその行為により自然に蓋を閉じる事が出来る。本体の背裏から一体となっている、下へ向いてある程度の厚さ、大きさ、長さ、を持っている支持棒があり、その背裏の任意の位置には吸盤と一体となっている。本体と一体をなしている支持棒のある位置に必要な大きさ、長さ、厚さ、の突起状の空洞があり、それに必要な、物を差し込んでその物を固定する事が出来る様になっている。現在多く使用されている歯ブラシは使用後の裸のまま使用した所に付いているプラスチック製の歯ブラシ掛けに直接掛けたり，又、小さな箱型の器に入れたりしているこれは小さいので開閉が非常にし難く、ブラシのみ包む型になっているのでその行為に手間が掛りいやな感じもする、又、他の物はやはり裸でブラシを掛けられる形状をした物でただ掛けるだけの物であるので非常に不衛生で見た感じも余り良くない、その様な欠点を治すのになにか良い方策が無いかと、思考工夫した物が、本発明である。これを使用する事により欠点を気持ち良く除き、見た感じも清潔で、美しく、行為がとっても簡単で歯ブラシを使用、保管が簡単に出来大変便利である。
【図面の簡単な説明】
【０００７】
【図１】  本発明の斜視図
【符号の説明】
【０００８】  １    歯ブラシ掛けの本体
２    Ｃ型底面の形状
３    逆Ｇ型本体の縁取り
４    蓋の深さの輪郭と蓋の形状
５    蓋の帯びたいが本体の背裏の面と結合
６    本体の天面を覆う蓋
７    本体の支持棒
８    吸盤、および本体を固定する穴、および磁石、固定出来る物
９    吸盤支持棒
１０  （例）収納ブラシの握り手）
１１    物置台に付けている差込板
１２    差込式で固定されている物置台
１３    本体支持棒の空洞を通過して物置台を固定している差込板
１４    物置台に乗っているコップ
【図１】
2007014709.tif 000003